(57)【要約】  改善された排気性を有する２重管反応管を用いた基板処理装置が開示される。反応管は、外管と内管との間の排気空間に連通する排気ポートと、内管に設けられ処理ガスを排出する第１排気口(4E)と、排気空間とマニホールドの内側の空間とを連通させる複数の第２排気口(4H.4J)と、断熱アセンブリと対面する箇所の内管に開口した複数の第３排気口(4G)と、を有する。第２排気口は、第１排気口から遠い排気空間に滞留するガスの排気を促進する。
2019058553.tif 000002
【特許請求の範囲】
【請求項１】
一端がそれぞれ閉塞された外管と内管とを有する反応管と、
前記反応管の開口端側に接続される円筒状のマニホールドと、
前記マニホールドの、前記反応管に接続される端とは反対の端を塞ぐシールキャップと、
前記シールキャップを貫通して回転を伝達する回転機構と、
マニホールドの内側の空間をパージするパージガスを供給するガス供給管と、を備え、
前記反応管は、外管と内管との間の排気空間に連通する排気ポートと、内管に設けられ処理ガスを排出する第1排気口と、前記排気空間と前記マニホールドの内側の空間とを連通させる複数の第２排気口と、を有し、前記第２排気口の少なくとも１つは、前記第1排気口から遠い排気空間に滞留するガスの排気を促進する基板処理装置。
【請求項２】
前記基板処理装置は、
前記回転機構によって回転する基板保持具と、
前記基板保持具と前記シールキャップの間を断熱する、円筒状の外形の断熱アセンブリと、
前記断熱アセンブリと対面する箇所の前記内管に開口して設けられる複数の第３排気口と、を更に備え、
前記第３排気口は、前記ガス供給管からのパージガスが、断熱アセンブリの側面を通り抜けて前記基板保持具に到達することを抑制することを特徴とする請求項１に記載の基板処理装置。
【請求項３】
前記基板処理装置は、
前記外管と前記内管との間で且つ前記第1排気口と対向する位置に設けられ、前記内管内に処理ガスを供給するノズルと、
前記内管内との連通を維持しながら前記ノズルの周囲を囲むノズル室と、を更に備える請求項２に記載の基板処理装置。
【請求項４】
前記パージガスが前記第２排気口から前記排気空間に入って排気される経路のコンダクタンスは、前記パージガスが断熱アセンブリの側面もしくはノズル室を通って第１排気口から前記排気空間に入って排気される経路のコンダクタンスよりも大きく設定され、
前記第２排気口の大きさ及びパージガスの流量は、前記マニホールドの内側の空間に侵入した前記処理ガスの濃度が規定値以下になるように設定された請求項３に記載の基板処理装置。
【請求項５】
一端がそれぞれ閉塞された外管と内管とを有する反応管と、
前記反応管の開口端側に接続される円筒状のマニホールドと、
前記マニホールドの、前記反応管に接続される端とは反対の端を塞ぐシールキャップと、
前記シールキャップを貫通して回転を伝達する回転機構と、
マニホールドの内側の空間をパージするパージガスを供給するガス供給管と、を備え、
前記反応管は、外管と内管との間の排気空間に連通する排気ポートと、内管に設けられ処理ガスを排出する第1排気口と、前記排気空間と前記マニホールドの内側の空間とを連通させる複数の第２排気口と、を有した基板処理装置を用いて、
ノズルから前記反応管内にクリーニングガスを供給する工程と、
前記反応管内へパージガスを供給することで前記処理室内を昇圧させる副工程と、前記処理室内を真空排気することで前記処理室内を降圧させる副工程とを含むサイクルを複数回繰り返すことにより、前記反応管内の圧力を変動させながらパージする工程と、を有する基板処理装置のクリーニング方法。
【請求項６】
一端がそれぞれ閉塞された外管と内管とを有する反応管と、
前記反応管の開口端側に接続される円筒状のマニホールドと、
前記マニホールドの、前記反応管に接続される端とは反対の端を塞ぐシールキャップと、
前記シールキャップを貫通して回転を伝達する回転機構と、
マニホールドの内側の空間をパージするパージガスを供給するガス供給管と、を備え、
前記反応管は、外管と内管との間の排気空間に連通する排気ポートと、内管に設けられ処理ガスを排出する第1排気口と、前記排気空間と前記マニホールドの内側の空間とを連通させる複数の第２排気口と、を有した基板処理装置を制御するコンピュータに、
ノズルから前記反応管内にクリーニングガスを供給する手順と、
前記ノズルと前記ガス供給管とから交互にパージガスを供給することで前記処理室内を昇圧させる副工程と、前記処理室内を真空排気することで前記処理室内を降圧させる副工程とを含むサイクルを複数回繰り返すことにより、前記反応管内の圧力を変動させながらパージする手順と、を実行させるプログラム。
【請求項７】
一端がそれぞれ閉塞された外管及び内管と、
前記外管及び前記内管のそれぞれの他端を接続するフランジと、
外管と内管との間の排気空間に連通する排気ポートと、
内管に設けられ処理ガスを排出する第１排気口と、
前記外管と前記内管との間で且つ前記第１排気口と対向する位置で、処理ガスを内管内に供給する供給スリットと、
前記フランジに設けられ、前記排気空間の中と外とを連通させる複数の第２排気口と、
前記内管内の前記フランジ寄りに設けられる断熱アセンブリに対面する位置で、前記内管に開口した複数の第３排気口と、を備え、
前記第２排気口の少なくとも１つは、前記第１排気口から遠い排気空間に滞留するガスの排気を促進する位置に設けられる石英反応管。
【発明の詳細な説明】
【技術分野】
【０００１】
本発明は、基板処理装置、石英反応管、クリーニング方法並びにプログラムに関する。
【背景技術】
【０００２】
半導体装置（デバイス）の製造工程における基板（ウェハ）の熱処理では、例えば縦型基板処理装置が使用されている。縦型基板処理装置では基板保持具によって複数の基板を垂直方向に配列して保持し、基板保持具を処理室内に搬入する。その後、処理室外に設置されたヒータによって基板を加熱した状態で処理室内に処理ガスを導入し、基板に対して薄膜形成処理等が行われる。また、処理室内に付着した膜が剥がれる前に、それを除去するドライクリーニング等が行われる。従来、２重管を用いた縦型基板処理装置において、クリーニングを行う技術が知られる（例えば、特許文献１及び２参照）。また、排気を改善するために、反応管等の一部に開口を設ける技術が知られる（例えば、特許文献３及び５参照）。
【先行技術文献】
【特許文献】
【０００３】
【特許文献１】特開２０１６−１１９３４３号公報
【特許文献２】特開２０１４−２０９５７２号公報
【特許文献３】特開２００１−１９６３６４号公報
【特許文献４】特開平０７−１９３０１２号公報
【特許文献５】米国特許出願公開第２０１３／０１７５６５０号明細書
【発明の概要】
【発明が解決しようとする課題】
【０００４】
処理室のクリーニングにおいては、処理室等へのダメージを抑えつつ、対象となる膜を効果的に除去できるよう、膜の種類に応じたさまざまなガスや温度条件が適用される。例えば、膜を除去されやすいよう改質（酸化）させる第１のガスに曝露した後、改質された膜を除去する第２のガスに曝露する過程を繰り返す方法がある。また除去反応に伴う副生成物等が処理室を腐食させうるものである場合、それらを速やかに排出するために不活性ガスによるパージが用いられる場合がある。【０００５】
しかしながら、石英反応管を２重構造にした場合、外管と内管のすき間にガスが滞留しやすい。そのような場所ではクリーニングガスの供給が少なく、排気も遅い。その結果、クリーニングが不完全になる、或いはクリーニングに要する時間が長くなるという問題があった。また、２重管構造は、基板への成膜時に原料ガスが基板上を流れやすくし、また基板上を流れるガスの流速を速くすることに寄与する一方、内管内の基板処理位置より下側の断熱空間をパージしている不活性ガスが、基板処理空間に流入しやすくなる。その結果、基板が配置される上下位置によって膜厚がばらつく原因になる。【０００６】
本発明の目的は、クリーニング時間を短縮させる技術を提供することにある。
【課題を解決するための手段】
【０００７】
本発明の一態様では、基板処理装置は、一端がそれぞれ閉塞された外管と内管とを有する反応管と、前記反応管の開口端側に接続される円筒状のマニホールドと、前記マニホールドの、前記反応管に接続される端とは反対の端を塞ぐシールキャップと、前記シールキャップを貫通して回転を伝達する回転機構と、マニホールドの内側の空間をパージするパージガスを供給するガス供給管と、を備える。前記反応管は、外管と内管との間の排気空間に連通する排気ポートと、内管に設けられ処理ガスを排出する第1排気口と、前記排気空間と前記マニホールドの内側の空間とを連通させる複数の第２排気口と、を有し、前記第２排気口の少なくとも１つは、前記第1排気口から遠い排気空間に滞留するガスの排気を促進する。
【発明の効果】
【０００８】
本発明によれば、２重管のすき間でのガスの滞留が改善され、クリーニング時間を短縮させるとともに基板間の膜均一性を改善することができる。
【図面の簡単な説明】
【０００９】
【図１】実施形態に係る基板処理装置の模式図。
【図２】実施形態の基板処理装置における断熱アセンブリの縦断面図。
【図３】実施形態の基板処理装置における反応管の断面を含む斜視図。
【図４】実施形態の基板処理装置における反応管の断面図。
【図５】実施形態の基板処理装置における反応管の底面図。
【図６】実施形態の基板処理装置における軸パージガスの流れを示す図。
【図７】実施形態の基板処理装置におけるコントローラの構成図。
【図８】実施形態のクリーニング処理における圧力と温度を示す図。
【図９】変形例に係る基板処理装置の反応管の底面図。
【発明を実施するための形態】
【００１０】
以下、実施形態について、図面を参照して説明する。
【００１１】
図１に示すように、本実施形態の基板処理装置１は、半導体集積回路の製造における熱処理工程を実施する縦型熱処理装置として構成され、処理炉２を備えている。処理炉２は、処理炉８を均一に加熱するために、複数のヒータユニットからなるヒータ３を有する。ヒータ３は円筒形状であり、保持板としてのヒータベース（図示せず）に支持されることにより、基板処理装置１の設置床に対して垂直に据え付けられている。ヒータ３は、後述するようにガスを熱で活性化（励起）させる活性化機構（励起部）としても機能する。
【００１２】
ヒータ３の内側に、反応容器（処理容器）を構成する反応管４が配設されている。反応管４は、例えば石英（ＳｉＯ2）または炭化シリコン（ＳｉＣ）等の耐熱性材料からなり、上端が閉塞し下端が開口した円筒形状に形成されている。反応管４は、下端のフランジ部４Ｃにおいて互いに結合した外管４Ａと内管４Ｂとを有する２重管構造を有する。外管４Ａと内管４Ｂの上端は閉じられ、内管４Ｂの下端は開口している。フランジ部４Ｃは、外管４Ａよりも大きな外径を有し、外側へ突出している。反応管４の下端寄りには、外管４Ａ内と連通する排気ポート４Ｄが設けられる。これらを含む反応管４全体は単一の材料で一体に形成される。外管４Ａは、内側を真空にしたときの圧力差に耐えうるように、比較的肉厚に構成されている。
【００１３】
マニホールド５は、円筒又は円錐台形状で金属製又は石英製であり、反応管４の下端を支えるように設けられる。マニホールド５の内径は、反応管４の内径（フランジ部４Ｃの内径）よりも大きく形成されている。これにより、反応管４の下端（フランジ部４Ｃ）と後述するシールキャップ１９との間に後述する円環状の空間を形成される。この空間もしくはその周辺の部材を炉口部と総称する。
【００１４】
内管４Ｂは、排気ポート４Ｄよりも反応管の奥側で、その側面において内側と外側を連通させる主排気口４Ｅを有し、また、主排気口４Ｅと反対の位置において供給スリット４Ｆを有する。主排気口４Ｅは、ウェハ７が配置されている領域に対して開口する単一の縦長の開口である。供給スリット４Ｆは、円周方向に伸びたスリットであり、各ウェハ７に対応するように垂直方向に複数並んで設けられている。
【００１５】
内管４Ｂは更に、排気ポート４Ｄよりも反応管４の奥側で且つ主排気口４Ｅよりも開口側の位置に、処理室６と排気空間Ｓとを連通させる複数の副排気口４Ｇが設けられる。また、フランジ４Ｃにも、処理室６と排気空間Ｓ下端とを連通させる複数の底排気口４Ｈ、４Ｊ及びノズル導入孔４Ｋが形成される。言い換えれば、排気空間Ｓの下端は、フランジ４Ｃによって底排気口４Ｈ、４Ｊ等を除き閉塞されている。副排気口４Ｇ、４Ｈは、主に後述の軸パージガスを排気するように機能する。
【００１６】
外管４Ａと内管４Ｂの間の空間（以後、排気空間Ｓと呼ぶ）には、供給スリット４Ｆの位置に対応させて、原料ガス等の処理ガスを供給する1本以上のノズル８が設けられている。ノズル８には、処理ガス（原料ガス）を供給するガス供給管９がマニホールド５を貫通してそれぞれ接続されている。
【００１７】
それぞれのガス供給管９の流路上には、上流方向から順に、流量制御器であるマスフローコントローラ（ＭＦＣ）１０および開閉弁であるバルブ１１が設けられている。バルブ１１よりも下流側では、不活性ガスを供給するガス供給管１２がガス供給管９に接続されている。ガス供給管４４ｂには、上流方向から順に、ＭＦＣ１３およびバルブ１４が設けられている。主に、ガス供給管９、ＭＦＣ１０、バルブ１１により、処理ガス供給系である処理ガス供給部が構成される。
【００１８】
ノズル８は、ガス供給空間４内に、反応管４の下部から立ち上がるように設けられている。ノズル８の側面や上端には、ガスを供給する１ないし複数のノズル孔８Ｈが設けられている。複数のノズル孔８Ｈは、供給スリット４Ｆのそれぞれの開口に対応させて、反応管４の中心を向くように開口させることで、内管４Ｂを通り抜けてウェハ７に向けてガスを噴射することができる。
【００１９】
排気ポート４Ｄには、処理室６内の雰囲気を排気する排気管１５が接続されている。排気管１５には、処理室６内の圧力を検出する圧力検出器（圧力計）としての圧力センサ１６および圧力調整器（圧力調整部）としてのＡＰＣ（Auto Pressure Controller）バルブ１７を介して、真空排気装置としての真空ポンプ１８が接続されている。ＡＰＣバルブ１７は、真空ポンプ１８を作動させた状態で弁を開閉することで、処理室６内の真空排気および真空排気停止を行うことができる。更に、真空ポンプ１８を作動させた状態で、圧力センサ１６により検出された圧力情報に基づいて弁開度を調節することで、処理室６内の圧力を調整することができるように構成される。主に、排気管１５、ＡＰＣバルブ１７、圧力センサ１６により、排気系が構成される。真空ポンプ１８を排気系に含めて考えてもよい。
【００２０】
マニホールド５の下方には、マニホールド５の下端開口を気密に閉塞可能な炉口蓋体としてのシールキャップ１９が設けられている。シールキャップ１９は、例えばステンレスやニッケル基合金等の金属からなり、円盤状に形成されている。シールキャップ１９の上面には、マニホールド５の下端と当接するシール部材としてのＯリング１９Ａが設けられている。
【００２１】
また、シールキャップ１９上面には、マニホールド５の下端内周より内側の部分に対し、シールキャップ１９を保護するカバープレート２０が設置されている。カバープレート２０は、例えば、石英、サファイヤ、またはＳｉＣ等の耐熱耐蝕性材料からなり、円盤状に形成されている。カバープレート２０は、機械的強度が要求されないため、薄い肉厚で形成されうる。カバープレート２０は、蓋部２２と独立して用意される部品に限らず、蓋部１９の内面にコーティングされた或いは内面が改質された、窒化物等の薄膜或いは層であってもよい。カバープレート２０はまた、円周の縁からマニホールド５の内面に沿って立ち上がる壁を有しても良い。
【００２２】
基板保持具としてのボート２１は、複数枚、例えば２５〜２００枚のウェハ７を、水平姿勢で、かつ、互いに中心を揃えた状態で垂直方向に整列させて多段に支持する。そこではウェハ７は、一定の間隔を空けて配列させる。ボート２１は、例えば石英やＳｉＣ等の耐熱性材料からなる。反応管４は、ボート２１を安全に搬入出可能な最小限の内径を有することが望ましい場合がある。
【００２３】
ボート２１の下部には後述する断熱アセンブリ２２が配設されている。断熱アセンブリ２２は、上下方向の熱の伝導或いは伝達が小さくなるような構造を有し、通常、内部に空洞を有する。内部は軸パージガスによってパージされうる。反応管４において、ボート２１が配置されている上部分を基板処理領域Ａ、断熱アセンブリ２２が配置されている下部分を断熱領域Ｂと呼ぶ。
【００２４】
シールキャップ１９の処理室６と反対側には、ボート２１を回転させる回転機構２３が設置されている。回転機構２３には、軸パージガスのガス供給管２４が接続されている。ガス供給管４４ｃには、上流方向から順に、ＭＦＣ２５およびバルブ２６が設けられている。このパージガスの１つの目的は、回転機構２３の内部（例えば軸受け）を、処理室６内で用いられる腐食性ガスなどから守ることである。パージガスは、回転機構２３から軸に沿って排出され、断熱アセンブリ２２内に導かれる。
【００２５】
ボートエレベータ２７は、反応管４の外部下方に垂直に備えられ、シールキャップ１９を昇降させる昇降機構（搬送機構）として動作する。これにより、シールキャップ１９に支えられたボート２１およびウェハ７が、処理室６内外に搬入出される。なお、シールキャップ１９が最下位置に降りている間、シールキャップ１９の代わりに反応管４の下端開口を塞ぐシャッタ（不図示）が設けられうる。
【００２６】
外管４Ａの外壁には、温度検出器２８が設置されている。温度検出器２７は、上下に並んで配列された複数の熱電対によって構成されうる。温度検出器２７により検出された温度情報に基づきヒータ３への通電具合を調整することで、処理室６内の温度が所望の温度分布となる。
【００２７】
コントローラ２９は、基板処理装置１全体を制御するコンピュータであり、ＭＦＣ１０， １３、バルブ１１，１４、圧力センサ１６、ＡＰＣバルブ１７、真空ポンプ１８、ヒータ３、キャップヒータ３４、下部キャップヒータ３５、温度検出器２８、回転機構２３、ボートエレベータ２７等と電気的に接続され、それらから信号を受け取ったり、それらを制御したりする。
【００２８】
図２に断熱アセンブリ２２及び回転機構２３の断面が示される。回転機構２３は、上端が開口し下端が閉塞した略円筒形状に形成されたケーシング（ボディ）２３Ａを備えており、ケーシング２３Ａはシールキャップ１９の下面にボルトで固定される。ケーシング２３Ａの内部では、内側から順に、円筒形状の内軸２３Ｂと、内軸２３Ｂの直径よりも大きな直径の円筒形状に形成された外軸２３Ｃが、同軸に設けられる。そして、外軸２３Ｃは、内軸２３Ｂとの間に介設された上下で一対の内側ベアリング２３Ｄ、２３Ｅと、ケーシング２３Ａとの間に介設された上下で一対の外側ベアリング２３Ｆ、２３Ｇとによって回転自在に支承されている。一方、内軸２３Ｂは、ケーシング２３Ａと固定され、回転不能になっている。
【００２９】
内側ベアリング２３Ｄおよび外側ベアリング２３Ｆの上、つまり処理室６側には、真空と大気圧の空気とを隔てる磁性流体シール２３Ｈ、２３Ｉが設置されている。外軸２３Ｃは、電動モータ（不図示）等によって駆動される、ウオームホイール或いはプーリ２３Ｋが装着される。
【００３０】
内軸２３Ｂの内側には、処理室６内にてウェハ７を下方から加熱する第１の補助加熱機構としてのサブヒータ支柱３３が、垂直に挿通されている。サブヒータ支柱３３は、石英製のパイプであり、その上端においてキャップヒータ３４を同心に保持する。サブヒータ支柱３３は、内軸２３Ｂの上端位置において耐熱樹脂で形成された支持部２３Ｎによって支持される。更に下方において、サブヒータ支柱３３は、真空用継手２３Ｐによって内軸２３Ｂとの間が密封される。
【００３１】
フランジ状に形成された外軸２３Ｃの上面には、下端にフランジを有する円筒形状の回転軸３６が固定されている。回転軸３６の空洞を、サブヒータ支柱３３が貫いている。回転軸３６の上端部には、サブヒータ支柱３３を貫通させる貫通穴が中心に形成された円盤形状の回転台３７が、カバープレート２０と所定の間隔ｈ1を空けて固定されている。
【００３２】
回転台３７の上面には、断熱体４０を保持する断熱体保持具３８と、円筒部３９が同心に載置され、ネジ等によって固定されている。断熱アセンブリ２２は、回転台３７、断熱体保持具３８、円筒部３９および断熱体４０により構成されており、回転台３７は底板（受け台）を構成する。回転台３７には、直径（幅）ｈ２の排気孔３７Ａが、縁寄りに回転対称に複数形成されている。
【００３３】
断熱体保持具３８は、中心にサブヒータ支柱３４を貫通させる空洞を有する円筒形状に構成される。断熱体保持具３８の下端には、回転台３７よりも小さな外径の外向きフランジ形状の足３８Ｃを有する。一方、断熱体保持具３８の上端は、そこからサブヒータ支柱３３が突き出させるように開口し、パージガスの供給口３８Ｂを構成している。
【００３４】
断熱体保持具３８とサブヒータ支柱３３との間に、断熱アセンブリ２２内の上部に軸パージガスを供給する、円環状の断面を有する流路が形成される。供給孔３８Ｂから供給されたパージガスは、断熱体保持具３８と円筒部３９の内壁との間の空間を下向きに流れて、排気孔３７Ａから円筒部３９外へ排気される。排気孔３７Ａを出た軸パージガスは、回転台３７とカバープレート２０の間の隙間を半径方向に流れて炉口部に放出され、そこで炉口部をパージする。
【００３５】
断熱体保持具３８の柱には、断熱体４０として複数の反射板４０Ａと断熱板４０Ｂが、同軸に設置されている。
【００３６】
円筒部３９は、内管４Ｂとの間隙ｈ６が所定の値となるような外径を有する。間隙ｈ６は、処理ガスや軸パージガスの通り抜けを抑制するために、狭く設定することが望ましく、例えば、７．５ｍｍ〜１５ｍｍとするのが好ましい。
円筒部３９の上端は、平坦な板で閉じており、そこにボート２１が設置される。
【００３７】
図３に、水平に切断された反応管４の斜視図が示される。なおこの図では、フランジ部４Ｃは省略されている。内管４Ｂには、処理室６内に処理ガスを供給するための供給スリット４Ｆが縦方向にウェハ７と同数、横方向に３個、格子状に並んで形成されている。供給スリット４Ｆの横方向の並びの間や両端の位置において、外管４Ａと内管４Ｂの間の排気空間Ｓを区画するように縦方向に伸びた仕切り板４１が、それぞれ設けられる。複数の仕切り板４１によって、主たる排気空間Ｓから分離された区画は、ノズル室（ノズルバッファ）４２を形成する。結果的に排気空間Ｓは、断面においてＣ字型に形成されることになる。ノズル室４２と内管４Ｂ内を直接つなぐ開口は、供給スリット４Ｆだけである。
【００３８】
仕切り板４１は、内管４Ｂとは連結されるものの、外管４Ａと内管４Ｂの温度差に起因する応力を避けるために外管４Ａとは連結させず、わずかな隙間を有するように構成することができる。ノズル室４２は、排気空間Ｓから完全に隔離される必要はなく、特に上端や下端において排気空間Ｓと通じた開口もしくは隙間を有しうる。ノズル室４２は、その外周側が外管４Ａによって区画されるものに限らず、外管４Ａの内面に沿った仕切り版を別途設けても良い。
【００３９】
内管４Ｂには、断熱アセンブリの側面に向かって開口する位置に、３個の副排気口４Ｇが設けられている。副排気口４Ｇの１つは、排気ポート４Ｄと同じ向きに設けられ、その開口の少なくとも１部が、排気ポート４Ｄの管と重なるような高さに配置されている。また、残りの２つの副排気口４Ｇは、ノズル室４２の両側部付近に配置されている。或いは、３個の副排気口４Ｇが、内管４Ｂの円周上で１８０度間隔となるような位置に配置されうる。
【００４０】
図４に示されるように、３つのノズル室４２には、ノズル８ａ〜８ｃがそれぞれ設置されている。ノズル８ａ〜８ｄの側面には、反応管６の中心方向を向いて開口したノズル孔８Ｈがそれぞれ設けられている。ノズル孔８Ｈから噴出されたガスは、供給スリット４Ｆから内管４Ｂ内に流れるように意図されているが、一部のガスは直接流入しない。
仕切り板４１により、各ノズル８ａ〜８ｃはそれぞれ独立した空間内に設置されるため、各ノズル８ａ〜８ｃから供給される処理ガスがノズル室４２内で混ざり合う事を抑制することができる。またノズル室４２に滞留するガスは、ノズル室４２の上端や下端から排気空間へ排出されうる。このような構成により、ノズル室４２内で処理ガスが混ざり合って薄膜が形成されたり、副生成物が生成されたりすることを抑制することができる。なお図４においてのみ、ノズル室４２の隣の排気空間Ｓには、反応管の軸方向（上下方向）に沿って任意で設置されうるパージノズル８ｄが設けられている。以降、パージノズル８ｄは存在しないものとして説明する。
【００４１】
図５に、反応管４の底面図が示される。フランジ部４Ｃには、排気空間Ｓとフランジ下方とを接続する開口として、底排気口４Ｈ、４Ｊ及びノズル導入孔４Ｋが設けられている。底排気口４Ｈは、排気ポート４Ｄに最も近い場所に設けられた長穴であり、底排気口４Ｊは、Ｃ字型の排気空間Ｓに沿って６箇所に設けられた小穴である。ノズル導入孔４Ｋは、その開口からノズル８ａ〜８ｃが挿入され、通常、石英製のノズル導入孔カバー８Ｓ（図１）によって塞がれる。底排気口４Ｊは、後述するように開口が大きすぎると、そこを通過する軸パージガスの流速が低下し、排気空間Ｓから原料ガス等が拡散によって炉口部に侵入してしまう。そのため、中央部の径を小さくした（くびれさせた）穴として形成する場合がある。
【００４２】
図６に、軸パージガスの排出経路が示される。排気孔３７Ａを出た軸パージガスは、回転台３７とカバープレート２０の間の隙間を半径方向に流れて、炉口部に放出される。そこではパージガスは、原料ガスの炉口部への流入を抑制し、炉口部へ拡散などで侵入した原料ガスを希釈し、パージガスの流れに乗せて排出することで、炉口部に副生成物が付着したり劣化したりすることを防ぐ役割をしている。軸パージガスの排出経路は凡そ以下のように４つある。
経路Ｐ１  底排気口４Ｈ又は４Ｊから排気空間Ｓに入り、排気ポート４Ｄに至る。
経路Ｐ２  内管４Ｂと断熱アセンブリ２２の間の隙間を通り、副排気口４Ｇから排気空間Ｓに入り、排気ポート４Ｄに至る。
経路Ｐ３  内管４Ｂと断熱アセンブリ２２の間の隙間を通って処理領域Ａに入り、主排気口４Ｅから排気空間Ｓに入り、排気ポート４Ｄに至る。
経路Ｐ４  ノズル導入孔４Ｋからノズル室４２に入り、処理領域Ａを横断して主排気口４Ｅから排気空間Ｓに入り、排気ポート４Ｄに至る。
【００４３】
パージガスが処理領域Ａに流入する経路Ｐ３とＰ４は、処理領域Ａの下方において処理ガスの濃度が低下し、基板間均一性が損なわれるため、基板に対する処理にとっては望ましくない。特に本例の反応管４は、主排気口４Ｅの圧力損失が小さいことが特徴のひとつのため、経路Ｐ３やＰ４にパージガスが引き込まれやすい。もしノズル導入孔カバー８Ｓと底排気口４Ｊを両方とも設けなかった場合、パージガスは専ら経路Ｐ４に流れてしまう。そのため本例では、副排気口４Ｇの開口を大きくするとともに間隙ｈ６を小さくし、経路Ｐ３よりも経路Ｐ２に流れやすくする。またノズル導入孔４Ｋは、ノズル導入孔カバー８Ｓによって塞ぐなどして実質的な開口を十分小さくし、経路Ｐ４に流れにくくする。副排気口４Ｇによって、処理ガス及び軸パージガスを流している時の円筒部３９の側面には、処理領域Ａ側および炉口部側の圧力が高く、副排気口４Ｇ付近が最も圧力が低くなるような好ましい圧力勾配が形成される。この圧力勾配においては、経路Ｐ３による軸パージガスの処理領域への流入、及び処理ガスの炉口部への流入（拡散）の両方が抑制される。なお軸パージガスの供給が過剰であると、経路１や２の圧力損失が増加し、この圧力勾配が悪化しうる。
【００４４】
一方で、Ｃ字型の排気空間Ｓの最奥部は、ノズル室４２に突き当たって袋小路になっているため、クリーニングガス等の処理ガスが滞留しやすい。このとき、底排気口４Ｊによって排気空間Ｓと炉口部とが流通可能になると、軸パージガスが多い（炉口部側の圧力が高い）ときは、Ｐ３の経路で軸パージガスが排気空間Ｓに流入して滞留を解消し、軸パージガスが少ないときは、逆に処理ガスが排気空間Ｓに流入或いは拡散して底排気口４Ｇから排出されるので、どちらにおいても滞留ガスの排気に寄与する。なお滞留ガスは、微量であれば炉口部に侵入しても十分希釈されるため問題ない。
【００４５】
しかし、底排気口４Ｊを大きくし、Ｐ１の経路のコンダクタンスを大きくしすぎると、Ｐ１を含む全ての経路で軸パージガスの最大流速が低下し、流れに逆らう方向の拡散によって処理ガスが炉口部に侵入しやすくなる。
【００４６】
以上を纏めると、経路Ｐ４及びＰ３のコンダクタンスを、経路Ｐ１及びＰ２のいずれもよりも小さくすること、及び、経路Ｐ１及びＰ２のコンダクタンスは、炉口部への処理ガスの侵入が許容量以下になるように上限が設けられることが望ましい。
【００４７】
図７に示すように、コントローラ２９は、ＭＦＣ１０、１３、２５、バルブ１１、１４、２６、圧力センサ１６、ＡＰＣバルブ１７、真空ポンプ１８、ヒータ３、キャップヒータ３４、温度検出器２８、回転機構２３、ボートエレベータ２７等の各構成と電気的に接続され、それらを自動制御する。コントローラ２９は、ＣＰＵ（Central Processing Unit）２１２、ＲＡＭ（Random Access Memory）２１４、記憶装置２１６、Ｉ／Ｏポート２１８を備えたコンピュータとして構成される。ＲＡＭ２１４、記憶装置２１６、Ｉ／Ｏポート２１８は、内部バス２２０を介して、ＣＰＵ２１２とデータ交換可能なように構成される。Ｉ／Ｏポート２１８は、上述の各構成に接続されている。コントローラ２９には、例えばタッチパネル等との入出力装置２２２が接続されている。
【００４８】
記憶装置２１６は、例えばフラッシュメモリ、ＨＤＤ（Hard Disk Drive）等で構成されている。記憶装置２１６内には、基板処理装置１の動作を制御する制御プログラムや、処理条件に応じて基板処理装置１の各構成に成膜処理等を実行させるためのプログラム（プロセスレシピやクリーニングレシピ等のレシピ）が読み出し可能に格納されている。ＲＡＭ２１４は、ＣＰＵ２１２によって読み出されたプログラムやデータ等が一時的に保持されるメモリ領域（ワークエリア）として構成されている。
【００４９】
ＣＰＵ２１２は、記憶装置２１６から制御プログラムを読み出して実行すると共に、入出力装置２２２からの操作コマンドの入力等に応じて記憶装置２１６からレシピを読み出し、レシピに沿うように各構成を制御する。
【００５０】
コントローラ２９は、外部記憶装置（例えば、ＵＳＢメモリやメモリカード等の半導体メモリ、ＣＤやＤＶＤ等の光ディスク、ＨＤＤ）２２４に持続的に格納された上述のプログラムを、コンピュータにインストールすることにより構成することができる。記憶装置２１６や外部記憶装置２２４は、コンピュータ読み取り可能な有体の媒体として構成されている。以下、これらを総称して、単に、記録媒体ともいう。なお、コンピュータへのプログラムの提供は、外部記憶装置２２４を用いず、インターネットや専用回線等の通信手段を用いて行ってもよい。
【００５１】
次に、上述の処理装置４を用い、半導体装置（デバイス）の製造工程の一工程として、基板上に膜を形成する処理（以下、成膜処理ともいう）のシーケンス例について説明する。
【００５２】
ここでは、ノズル８を２本以上設け、ノズル８Ａから第１の処理ガス（原料ガス）としてヘキサクロロジシラン（ＨＣＤＳ）ガスを、ノズル８Ｂから第２の処理ガス（反応ガス）としてアンモニア（ＮＨ３）ガスをそれぞれ供給し、ウェハ７上にシリコン窒化（ＳｉＮ）膜を形成する例について説明する。なお、以下の説明において、基板処理装置１の各構成の動作はコントローラ２９により制御される。
【００５３】
本実施形態における成膜処理では、処理室６内のウェハ７に対してＨＣＤＳガスを供給する工程と、処理室６内からＨＣＤＳガス（残留ガス）を除去する工程と、処理室６内のウェハ７に対してＮＨ３ガスを供給する工程と、処理室６内からＮＨ３ガス（残留ガス）を除去する工程と、を所定回数（１回以上）繰り返すことで、ウェハ７上にＳｉＮ膜を形成する。本明細書では、この成膜シーケンスを、便宜上、以下のように表記する：
【００５４】
（ＨＣＤＳ→ＮＨ３）×ｎ  ⇒  ＳｉＮ
【００５５】
（ウェハチャージおよびボートロード）
複数枚のウェハ７がボート２１に装填（ウェハチャージ）されると、ボート２１は、ボートエレベータ２７によって処理室６内に搬入（ボートロード）される。このとき、シールキャップ１９は、Ｏリング１９Ａを介してマニホールド５の下端を気密に閉塞（シール）した状態となる。ウェハチャージする前のスタンバイの状態から、バルブ２６を開き、円筒部３９内へ少量のパージガスが供給されうる。
【００５６】
（圧力調整）
処理室６内、すなわち、ウェハ７が存在する空間が所定の圧力（真空度）となるように、真空ポンプ１８によって真空排気（減圧排気）される。この際、処理室６内の圧力は、圧力センサ５２で測定され、この測定された圧力情報に基づきＡＰＣバルブ１７が、フィードバック制御される。円筒部３９内へのパージガス供給及び真空ポンプ１８の作動は、少なくともウェハ７に対する処理が終了するまでの間は維持する。
【００５７】
（昇温）
処理室６内から酸素等が十分排気された後、処理室６内の昇温が開始される。処理室６が成膜に好適な所定の温度分布となるように、温度検出器２８が検出した温度情報に基づきヒータ３４、キャップヒータ３４及び下部キャップヒータ３５への通電具合がフィードバック制御される。ヒータ３４等による処理室６内の加熱は、少なくともウェハ７に対する処理（成膜）が終了するまでの間は継続して行われる。キャップヒータ３４への通電期間は、ヒータ３４による加熱期間と一致させる必要はない。成膜が開始される直前において、キャップヒータ３４の温度は、成膜温度と同温度に到達し、マニホールド５の内面温度は１８０℃以上（例えば２６０℃）に到達していることが望ましい。
【００５８】
また、回転機構２３によるボート２１およびウェハ７の回転を開始する。回転機構２３により、回転軸６６、回転台３７、円筒部３９を介してボート２１が回転されることで、サブヒータ６４は回転させずにウェハ７を回転させる。これにより加熱のむらが低減される。回転機構２３によるボート２１およびウェハ７の回転は、少なくとも、ウェハ７に対する処理が終了するまでの間は継続して行われる。
【００５９】
（成膜）
処理室６内の温度が予め設定された処理温度に安定すると、ステップ１〜４を繰り返し実行する。なお、ステップ１を開始する前に、バルブ２６を開き、パージガスの供給を増加させてもよい。
【００６０】
［ステップ１：原料ガス供給工程］
ステップ１では、処理室６内のウェハ７に対し、ＨＣＤＳガスを供給する。バルブ１１Ａを開くと同時にバルブ１４Ａを開き、ガス供給管４４ａ内へＨＣＤＳガスを、ガス供給管４４ｂ内へＮ２ガスを流す。ＨＣＤＳガスおよびＮ２ガスは、それぞれＭＦＣ１０、１３により流量調整され、ノズル４２を介して処理室６内へ供給され、排気管１５から排気される。ウェハ７に対してＨＣＤＳガスを供給することにより、ウェハ７の最表面上に、第１の層として、例えば、１原子層未満から数原子層の厚さのシリコン（Ｓｉ）含有膜が形成される。
【００６１】
［ステップ２：原料ガス排気工程］
第１の層が形成された後、バルブ１１Ａを閉じ、ＨＣＤＳガスの供給を停止する。このとき、ＡＰＣバルブ１７は開いたままとして、真空ポンプ１８により処理室６内を真空排気し、処理室６内に残留する未反応もしくは第１の層の形成に寄与した後のＨＣＤＳガスを処理室６内から排出する。また、バルブ１４Ａやバルブ２６を開いたままとして、供給されたＮ２ガスは、ガス供給管９や反応管４内、炉口部をパージする。
【００６２】
［ステップ３：反応ガス供給工程］
ステップ３では、処理室６内のウェハ７に対してＮＨ３ガスを供給する。バルブ１１Ｂ，１４Ｂの開閉制御を、ステップ１におけるバルブ１１Ａ，１４Ａの開閉制御と同様の手順で行う。ＮＨ３ガスおよびＮ２ガスは、それぞれＭＦＣ１０、１３により流量調整され、ノズル４２を介して処理室６内へ供給され、排気管１５から排気される。ウェハ７に対して供給されたＮＨ３ガスは、ステップ１でウェハ７上に形成された第１の層、すなわちＳｉ含有層の少なくとも一部と反応する。これにより第１の層は窒化され、ＳｉおよびＮを含む第２の層、すなわち、シリコン窒化層（ＳｉＮ層）へと変化（改質）される。
【００６３】
［ステップ４：反応ガス排気工程］
第２の層が形成された後、バルブ１１を閉じ、ＮＨ３ガスの供給を停止する。そして、ステップ１と同様の処理手順により、処理室６内に残留する未反応もしくは第２の層の形成に寄与した後のＮＨ３ガスや反応副生成物を処理室６内から排出する。
【００６４】
以上の４つのステップを非同時に、すなわち、オーバーラップさせることなく行うサイクルを所定回数（ｎ回）行うことにより、ウェハ７上に、所定組成および所定膜厚のＳｉＮ膜を形成することができる。
【００６５】
上述のシーケンスの処理条件としては、例えば、
処理温度（ウェハ温度）：２５０〜７００℃、
処理圧力（処理室内圧力）：１〜４０００Ｐａ、
ＨＣＤＳガス供給流量：１〜２０００ｓｃｃｍ、
ＮＨ３ガス供給流量：１００〜１００００ｓｃｃｍ、
Ｎ２ガス供給流量（ノズル）：１００〜１００００ｓｃｃｍ、
Ｎ２ガス供給流量（回転軸）：１００〜５００ｓｃｃｍ、
が例示される。それぞれの処理条件を、それぞれの範囲内のある値に設定することで、成膜処理を適正に進行させることが可能となる。
【００６６】
ＨＣＤＳ等の熱分解性ガスは、石英よりも金属の表面において副生成物の膜を形成しやすい場合がある。ＨＣＤＳ（及びアンモニア）に晒された表面は、特に２６０℃以下のときにＳｉＯ、ＳｉＯＮなどが付着しやすい。
【００６７】
（パージおよび大気圧復帰）
成膜処理が完了した後、バルブ１４Ａ、１４Ｂを開き、ガス供給管１２Ａ、１２ＢからＮ２ガスを処理室６内へ供給し、排気管１５から排気する。これにより、処理室６内の雰囲気が不活性ガスに置換され（不活性ガス置換）、残留する原料や副生成物が処理室６内から除去（パージ）される。その後、ＡＰＣバルブ１７が閉じられ、処理室６内の圧力が常圧になるまでＮ２ガスが充填される（大気圧復帰）。
【００６８】
（ボートアンロードおよびウェハディスチャージ）
ボートエレベータ２７によりシールキャップ１９が下降され、マニホールド５の下端が開口される。そして、処理済のウェハ７が、ボート２１に支持された状態で、マニホールド５の下端から反応管３６の外部に搬出される（ボートアンロード）。処理済のウェハ７は、ボート２１より取出される。
【００６９】
上述の成膜処理を行うと、加熱されていた反応管４内の部材の表面、例えば、外管４Ａの内壁、ノズル８ａの表面、内管４Ｂの表面、ボート２１の表面等に、窒素を含むＳｉＮ膜等が堆積し、薄膜を形成しうる。そこで、これらの堆積物の量、すなわち、累積膜厚が、堆積物に剥離や落下が生じる前の所定の量（厚さ）に達したところで、クリーニング処理が行われる。
【００７０】
クリーニング処理は、反応管４内へフッ素系ガスとして例えばＦ２ガスを供給することで行われる。以下、本実施形態におけるクリーニング処理の一例を、図８を参照しながら説明する。ここでは、ノズル８ａのガス供給管９ａにＦ２ガス源が接続されるものとする。以下の説明において、基板処理装置を構成する各部の動作はコントローラ２９により制御される。
【００７１】
（ボート搬入ステップ）
シャッタが移動させられて、マニホールド５の下端開口が開放される（シャッタオープン）。その後、空のボート２１、すなわち、ウェハ７を装填していないボート２１が、ボートエレベータ２７によって持ち上げられて反応管４内に搬入（ボートロード）される。
【００７２】
（圧力・温度調整ステップ）
反応管４内が所望の圧力となるように、真空ポンプ２４６によって真空排気される。真空ポンプ２４６は、少なくともクリーニング処理が終了するまでの間は常時作動させた状態を維持する。また、反応管４内が所望の温度（第２温度）となるように、ヒータ３によって加熱される。第２温度は、例えば、成膜ステップにおけるウェハ７の温度（第１温度）より低くすることができる。その場合、加熱をスタンバイ状態よりも弱めることを意味する。また、回転機構２３によるボート２１の回転を開始する。ボート２１の回転は、クリーニング処理が完了するまでの間は、継続されうる。
【００７３】
（ガスクリーニングステップ）
このステップでは、バルブ１０ａ，１３ａ，１３ｂの開閉制御を、成膜処理のステップ１におけるそれらの開閉制御と同様の手順で行う。Ｆ２ガスは、ＭＦＣ１０ａにより流量調整され、ガス供給管９ａ、ノズル８ａを介して反応管４内へ供給される。ガス供給管１２ａからＮ２ガスを流すことで、Ｆ２ガスを希釈し、反応管４内へ供給するＦ２ガスの濃度を制御することができる。このとき、ガス供給管１２ｂ、２４からＮ２ガスを少量流しノズル８ｂや軸・炉口部をパージしてもよい。またＦ２ガスにフッ化水素（ＨＦ）ガス、水素（Ｈ２）ガス、一酸化窒素（ＮＯ）ガス等を添加するようにしてもよい。
【００７４】
このステップの間、ＡＰＣバルブ１７を適正に調整して、反応管４内の圧力を、例えば1330〜101300Ｐａ、好ましくは13300〜53320Ｐａの範囲内の圧力とする。ＭＦＣ１０ａで制御するＦ２ガスの供給流量は、例えば 100〜3000ｓｃｃｍの範囲内の流量とする。ＭＦＣ１３ａ制御するＮ２ガスの供給流量は、それぞれ例えば100〜10000ｓｃｃｍの範囲内の流量とする。Ｆ２ガスを反応管４内へ供給する時間は、例えば６０〜１８００秒、好ましくは 120〜1200秒の範囲内の時間とする。ヒータ３の温度は、反応管４内の温度が、例えば２００〜４５０℃、好ましくは２００〜４００℃の範囲内の温度（第２温度）となるように設定する。
【００７５】
反応管４内の温度が２００℃未満となると、堆積物のエッチング反応が進行しにくくなる場合がある。一方、反応管４内の温度が４５０℃を超えると、エッチング反応が激しくなり、反応管４内の部材がダメージを受ける場合がある。
【００７６】
反応管４内へのＦ２ガスの供給は、連続的に行うようにしてもよく、間欠的に行うようにしてもよい。反応管４内へのＦ２ガスの供給を間欠的に行う場合は、反応管４内にＦ２ガスを封じ込めるようにしてもよい。反応管４内へのＦ２ガスの供給を間欠的に行うことで、反応管４内におけるフッ化アンモニウム（ＮＨ4Ｆ）やテトラフルオロシラン（ＳｉＦ4）等の副生成物の量を適正に制御することができ、エッチング反応が進行しやすい環境を整えることが可能となる。また、Ｆ２ガスの供給を間欠的に行うことで、反応管４内に圧力変動を生じさせ、堆積物に対して圧力の変動に伴う衝撃を与えることができる。これにより、堆積物にクラックや剥離等を生じさせ、堆積物のエッチングを効率的に進めることが可能となる。また、Ｆ２ガスの使用量を適正に抑制することができ、クリーニング処理のコストを低減することが可能となる。図５は、反応管４内へのＦ２ガスの供給を間欠的に行い、反応管４内に圧力変動を生じさせる例を示している。
【００７７】
クリーニングガスとしては、Ｆ２ガスの他、フッ化塩素（ＣｌＦ３）ガス、フッ化窒素（ＮＦ３）ガス、ＨＦガス、Ｆ２ガス＋ＨＦガス、ＣｌＦ３ガス＋ＨＦガス、ＮＦ３ガス＋ＨＦガス、Ｆ２ガス＋Ｈ２ガス、ＣｌＦ３ガス＋Ｈ２ガス、ＮＦ３ガス＋Ｈ２ガス、Ｆ２ガス＋ＮＯガス、ＣｌＦ３ガス＋ＮＯガス、ＮＦ３ガス＋ＮＯガス等のフッ素系ガスを用いることができる。また、不活性ガスとしては、Ｎ２ガスの他、例えば、アルゴン等の希ガスを用いることができる。
【００７８】
（昇温ステップ） ガスクリーニングステップが完了したら、バルブ１０ａを閉じ、反応管４内へのＦ２ガスの供給を停止する。そして、反応管４内が所望の温度（第３温度）となるように、反応管４内をヒータ３によって加熱する。ここでは、第３温度を第２温度よりも高い温度とする例、すなわち、反応管４内の温度を第２温度から第３温度へ変更（昇温）する例について説明する。第３温度での加熱は、後述する多段階パージステップが終了するまでの間は継続して行われる。
【００７９】
第３温度を第２温度よりも高くすることで、反応管４内の部材の表面からのパーティクル（異物）源、例えば、堆積物とクリーニングガスとの反応により生成された固体の非常に小さな（数Å程度の）化合物（以下、残留化合物とも称する）の脱離を促すことが可能となる。これは、反応管４内を上述のように加熱することで、ＮＨ４Ｆ等の残留化合物が昇華しやすくなるためと考えられる。
【００８０】
より好ましくは、第３温度は、成膜ステップにおけるウェハ７の温度（第１温度）より高くする。反応管４内をこのような温度に加熱することで、残留化合物の昇華をさらや脱離をさらに促すことが可能となる。ただし、反応管４内の温度が６３０℃を超えると、反応管４内の部材が熱によりダメージを受けてしまう場合もある。
【００８１】
ヒータ３の温度は、反応管４内の温度が、上述の条件を満たす温度であって、例えば４００〜６３０℃、好ましくは５５０〜６２０℃の範囲内の温度（第３温度）となるような温度に設定する。
【００８２】
（多段階パージステップ）
反応管４内の温度を第３温度とした状態で多段階パージステップ（圧力スイングパージ）を行う。なお、上述の昇温ステップの開始とともに、多段階パージステップを開始するようにしてもよい。このステップでは、以下に示す第１、第２パージステップを順次実施する。
【００８３】
［第１パージステップ］
このステップでは、反応管４内の圧力を後述する第１の圧力幅で周期的に変動させつつ、反応管４内に対してパージ（第１パージ）を行う。具体的には、反応管４内へ供給するパージガスにより反応管４内の圧力を上昇させるステップ（第１昇圧ステップ）と、反応管４内の排気を強くして反応管４内を降圧させるステップ（第１降圧ステップ）と、を１サイクルとしてこのサイクルを複数回（２回以上）繰り返す。
【００８４】
第１昇圧ステップでは、ＡＰＣバルブ１７を僅かに開いた状態で、バルブ１４ａ，１４ｂ、２６を開き、反応管４内へＮ２ガスを供給する。ＭＦＣ１３ａ，１３ｂ、２５で制御するＮ２ガスの供給流量は、それぞれ例えば1000〜 50000ｓｃｃｍの範囲内の流量とする。反応管４内の最大圧力は、例えば53200〜66500Ｐａの範囲内の圧力とする。
【００８５】
第１昇圧ステップは、ＡＰＣバルブ１７を全閉（フルクローズ）とした状態で行うことで、圧力スイングの幅を大きくすることができる一方、排気管２３１から反応管４内へ残留化合物等が逆流（拡散）しやすくなる欠点もある。
【００８６】
次の第１降圧ステップでは、ＡＰＣバルブ１７を全開（フルオープン）とする。また、バルブ１４ａ，１４ｂ、２６が開いた状態は維持するものの、ＭＦＣ１３ａ，１３ｂで制御するＮ２ガスの供給流量を減らし、例えばそれぞれ50〜500 ｓｃｃｍの範囲内の流量とする。反応管４内の最小圧力は、例えば300〜665Ｐａの範囲内の圧力とする。
【００８７】
なお、第１降圧ステップは、バルブ１４ａ，１４ｂ、２６を閉じ、反応管４内へのＮ２ガスの供給を停止することで、短時間で降圧でき、圧力スイングの幅を大きくすることができる一方、排気管２３１から反応管４内へ向かう残留化合物等が生じる可能性がある。
【００８８】
第１パージステップにおける圧力スイングの幅、すなわち、昇圧ステップ１ａの最大圧力と降圧ステップ２ａの最小圧力との差圧は、例えば52535〜66101Ｐａの範囲内の大きさとなる。
【００８９】
［第２パージステップ］
第１パージステップが終了したら、第２パージステップを実施する。このステップでは、反応管４内の圧力を、第１パージステップの圧力スイングの幅よりも小さな幅で周期的に変動させつつ、反応管４内に対してパージ（第２パージ）を行う。圧力以外については、第１パージステップと同様である。
【００９０】
（降温・大気圧復帰ステップ）
多段階パージステップが完了したら、ヒータ３の出力を調整し、反応管４内の温度を降温させる（降温）。すなわち、反応管４内の温度を第３温度から第１温度へ変更（降温）する。また、バルブ１４ａ，１４ｂ、２６を開いたままとし、反応管４内へＮ２ガスを流す。これにより、反応管４内がＮ２ガスで満たされ(ガス置換）、反応管４内の圧力が常圧に復帰される（大気圧復帰）。
【００９１】
（ボート搬出ステップ） その後、ボートエレベータ２７によりシールキャップ１９が下降され、マニホールド５の下端が開口されるとともに、空のボート２１が、マニホールド５の下端から反応管４の外部へ搬出（ボートアンロード）される。これら一連のクリーニング処理が終了すると、上述の成膜処理が再開されることとなる。
【００９２】
以上説明したクリーニング処理では、多段階パージステップでガスノズル８ａ，８ｂ及びガス供給管２４から一定の割合でＮ２ガスを供給するものとしたが、割合を周期的に変化させても良い。例えば、ガスノズル８ａ，８ｂからの流量を増やして、残留ガスを底排気口４Ｊから炉口部へと排出する動作と、ガス供給管２４からの流量を増やして、底排気口４Ｊから軸パージガスを排気空間へ流入させて、残留ガスを主排気口４Ｅへ押し出す動作とを反復するようにしても良い。
【００９３】
本実施形態では、以下に示す１つ又は複数の効果が得られる。
（ａ）副排気口４Ｇを設けたことにより、内管４Ｂ内に流れたパージガスが外管と内管の間の排気空間Ｓへ積極的に流れるようになり、基板処理空間Ａへ流れ込むパージガスの流量が軽減される。
（ｂ）底排気口４Ｈ、４Ｊ及び副排気口４Ｇを設けたことにより、排気空間Ｓに対して、クリーニングガスの排気効率が向上する
【００９４】
なお、反応管４は、外管４Ａと内管４Ｂが一体に形成されたものに限らず、別個の部材として形成され、それぞれマニホールド５に載せられてもよい。その場合、外管４Ａと内管４Ｂの開口端付近で排気空間と炉口部とを流通させる隙間が、底排気口４Ｈ、４Ｊに相当する。或いは、外管４Ａ、内管４Ｂとマニホールド５が、全て石英で一体に形成されても良い。
【００９５】
次に、上記実施形態の変形例について説明する。図９に、変形された実施形態の基板処理装置の反応管４００の底面図が示される。本例では、内管４Ｇに外側へ盛り上がった膨らみ部４０１を有する。膨らみ部４０１は、その内側に追加のノズルやセンサ類を設けるスペースを提供し、その膨らみは、排気空間Ｓが部分的に狭められるので内管４Ｇの下端から上端まで同じ形状を保ったまま続いている。
【００９６】
膨らみ部４０１によって排気空間Ｓが局所的に狭められたことで、そのままでは滞留が生じやすい。本例では、主排気口４Ｅから最も遠い膨らみ部４０１よりも更に奥における内管４Ｇに、副排気口４Ｇと底排気口４Ｊを少なくとも１つずつ設け、また膨らみ部４０１によって挟まれた排気空間Ｓに対しても、底排気口４Ｊを少なくとも１つ設ける。膨らみ部４０１による排気空間Ｓの狭窄の間隔は、間隙ｈ６よりも広いことが望ましい。
【００９７】
上述の実施形態では、ウェハ上に成膜を行った後に反応管をクリーニングする例について説明した。しかしながら、本発明は、このような態様に限定されず、酸化や窒化などの改質処理、拡散処理、エッチング処理等の処理であっても、副生成物が生じたり、反応管の表面が侵されたり、或いは反応管を保護するプリコート膜を形成したりする場合には有用である。
【産業上の利用可能性】
【００９８】
本発明は、半導体デバイスの製造装置の他、ガス状の原料を用いる成膜装置等に好適に利用できる。
【符号の説明】
【００９９】
２  処理炉、  ３  ヒータ、  ４  反応管、  ４Ａ  外管、
４Ｂ  内管、  ４Ｃ  フランジ部、  ４Ｄ  排気ポート、
４Ｅ  主排気口、  ４Ｆ  供給スリット、  ４Ｇ  副排気口、
４Ｈ、４Ｊ  底排気口、  ４Ｋ  ノズル導入孔４Ｋ、
５  マニホールド、
６  処理室、  ７  ウェハ、
８  ノズル、  ９  ガス供給管、
１０  ＭＦＣ、
１２  ガス供給管、  １３  ＭＦＣ、  １５  排気管、
１６  圧力センサ、  １７  ＡＰＣバルブ、  １８  真空ポンプ、
１９  シールキャップ、  ２０  カバープレート、  ２１  ボート、
２２  断熱アセンブリ、  ２３  回転機構、  ２４  ガス供給管、
２５  ＭＦＣ、  ２７  ボートエレベータ、  ２８  温度検出器、
２９  コントローラ、  ３３  サブヒータ支柱、
３４  キャップヒータ、３６  回転軸、  ３７  回転台、
３８  断熱体保持具、  ３９  円筒部、  ４０  断熱体、
４１  仕切り板、  ４２  ノズル室、
【図１】
2019058553.tif 000003
【図２】
2019058553.tif 000004
【図３】
2019058553.tif 000005
【図４】
2019058553.tif 000006
【図５】
2019058553.tif 000007
【図６】
2019058553.tif 000008
【図７】
2019058553.tif 000009
【図８】
2019058553.tif 000010
【図９】
2019058553.tif 000011
【国際調査報告】
2019058553.tif 000012
2019058553.tif 000013
2019058553.tif 000014
2019058553.tif 000015